(57)【要約】【課題】本発明は、高速で回転する光ディスクを取り出すときに、回転を停止させ、安全に取り出すことを目的とする。【解決手段】本発明の光ディスク装置は、フタに突起部が設けられ、突起部には段部が設けられ、段部がブレーキ装置に当接することで光ディスクの回転を停止すべく動作するように構成したものであり、この構成によって、フタの開閉と連動してブレーキ装置が光ディスクと直接当接することで回転を停止させるので、急峻にディスクの回転を停止できるうえ、簡便な構造で構成できる。【選択図】図５
2005092951.tif 000002
【特許請求の範囲】
【請求項１】
筐体と、前記筐体に開閉自在に設けられたフタと、装着されたディスクを回転させる回転駆動手段と、ディスクから情報を読み出すか情報を記録する少なくとも一方の動作を行う記録再生手段と、ディスクに対して回転を停止させるか回転数を減速させるようにディスクにブレーキをかけるブレーキ手段とを備え、前記フタの開閉動作中に少なくとも前記ブレーキ手段が駆動するディスクのブレーキ方法であって、前記フタの開閉動作中に一時的に前記ブレーキ手段にてディスクにブレーキをかけることを特徴とするディスクのブレーキ方法。
【請求項２】
フタが完全に閉まった状態と、前記フタが完全に開いた状態では前記ブレーキ手段はディスクに対してブレーキを加えないことを特徴とする請求項１記載のディスクのブレーキ方法。
【請求項３】
ディスクの外周部に接触することで、ディスクの回転を阻害するようにブレーキ手段が動作することを特徴とする請求項１記載のディスクのブレーキ方法。
【請求項４】
フタに作動片を設けるとともに、ブレーキ手段として、前記作動片によって、ディスクに対して近づいたり離れたりする可動片を備えたことを特徴とする請求項１記載のディスクのブレーキ方法。
【請求項５】
可動片は、ディスクに対して近づいたり離れたりするようにガイドされ、しかも可動片にはディスクと当接するパッドを備え、前記可動片がディスク側に移動して前記パッドとディスクが接触してディスクにブレーキが加えられることを特徴とする請求項４記載のディスクのブレーキ方法。
【請求項６】
可動片は弾性部材により、ディスク側と反対方向に付勢されていることを特徴とする請求項４記載のディスクのブレーキ方法。
【請求項７】
可動片には作動片が挿入される挿入部を設けるとともに、前記挿入部にはリブが設けられ、更に前記作動片の先端部に段部を設け、前記段部と前記リブが接触することで可動片をディスク側に移動させることを特徴とする請求項４記載のディスクのブレーキ方法。
【請求項８】
筐体と、前記筐体に回動自在に設けられたフタと、光ディスクを回転駆動させるスピンドルモータと、光ディスクに光を照射することで光ディスクから情報を読み出すか光ディスクに情報を記録する光学ユニットと、前記筐体に設けられ光ディスクの装着領域外に配置されたブレーキ手段と、前記フタに設けられ前記ブレーキ手段を駆動させ作動片とを備え、前記フタの開閉動作中に前記作動片の作用によって、一時的に前記ブレーキ手段が光ディスクの外周部に当接するように構成されたことを特徴とする光ディスク装置。
【請求項９】
ブレーキ手段は、可動片と、前記可動片をスピンドルモータ側と反対側に付勢する弾性手段と、前記作動片が挿入される挿入部と、前記挿入部側に突出したリブとを有しており、前記リブと前記作動片が当接することによって、前記可動片が移動し、フタの開閉の最中にのみ前記可動片が一時的に光ディスクの外周部に当接するように構成されたことを特徴とする請求項８記載の光ディスク装置。
【請求項１０】
可動片の先端にパッドを設け、前記パッド部の断面形状を非平坦としたことを特徴とする請求項９記載の光ディスク装置。
【請求項１１】
フタに前記フタの開閉方向に対して所定量移動可能に保持されたクランパを設け、前記ク
ランパとスピンドルモータによって光ディスクを挟み込んで保持し、前記フタを若干開く初期状態において前記クランパと前記スピンドルは光ディスクを挟み込んでおり、この前記クランパと前記スピンドルは光ディスクを挟み込んでいる時にブレーキ手段が光ディスクにブレーキを加えていることを特徴とする請求項８記載の光ディスク装置。
【請求項１２】
第１の筐体部と、前記第１の筐体部に回動自在に設けられた第２の筐体部と、前記第１の筐体部に設けられた情報の入力手段と、前記第２の筐体部位設けられた表示手段と、前記第１の筐体に設けられた請求項８〜１１いずれか１記載の光ディスク装置とを備えたことを特徴とする電子機器。
【発明の詳細な説明】
【技術分野】
【０００１】
本発明は、デスクトップコンピュータ等の電子機器や、ノートブックパソコンなどのモバイル型電子機器などの好適に搭載され、光学的に情報の読み取り・書き込みを行う光ディスク装置に関するものである。
【背景技術】
【０００２】
光ディスク装置は、円盤状の光ディスクにあらかじめ記録された情報の読み取りや、記録可能な光ディスクに対して情報の書き込みを、光ディスクを回転させながら光学装置を用いて実現することにより、音楽・画像の記録再生や、コンピュータ等におけるデータの記録再生など大量のデータを扱う用途に供されている。ＣＤ（コンパクトディスク）・ＤＶＤ（デジタルバーサタイルディスク）と呼ばれるディスクは、円盤状の光ディスクを直接、操作者が交換する必要があるため、これらの光ディスクを光ディスク装置に対して出し入れするための構造が設けられており、その構造の１実現方法として、光ディスクが回転し読み取り・記録を行っているときには光ディスクを覆うことのできるフタを開閉することにより光ディスクを交換する構造を取ることものである。
【０００３】
しかし、光ディスクを交換する際には、安全上、光ディスクの回転が完全に停止した状態でフタの開閉を行うことが好ましい。よって、高速で回転する光ディスクを停止させる手段が必要である。
【０００４】
先行例としては、（特許文献１）がある。
【特許文献１】特開平４−２６８２５１号公報
【発明の開示】
【発明が解決しようとする課題】
【０００５】
光ディスクを交換する際に、光ディスクの回転を停止させる１手段として、光ディスクを回転させるためのスピンドルモータの端子を短絡させることにより、スピンドルモータに発生する逆起電圧を利用して、光ディスクの回転を減速させるものであり、この動作をフタの開閉動作と連動させることにより、安全性を確保しようとするものである
光ディスクの回転が停止した状態でフタの開閉を行うにおいては、高速で回転する光ディスクを減速させるためにスピンドルモータに発生する逆起電圧を利用した場合、光ディスクのイナーシャ（慣性）が大きいため、操作者がフタの開閉を行うボタンを操作したりした後、回転が停止するまで数秒間必要である。よって、光ディスクが完全に停止するまでフタが開かない為の機構を追加したりする必要がある。また、操作者は完全に停止するまでの数秒間は待っている必要があるなどの問題があった。
【課題を解決するための手段】
【０００６】
本発明は上記課題を解決するためになされたものであって、筐体と、前記筐体に開閉自在に設けられたフタと、装着されたディスクを回転させる回転駆動手段と、ディスクから情報を読み出すか情報を記録する少なくとも一方の動作を行う記録再生手段と、ディスクに対して回転を停止させるか回転数を減速させるようにディスクにブレーキをかけるブレーキ手段とを備え、前記フタの開閉動作中に少なくとも前記ブレーキ手段が駆動するディスクのブレーキ方法であって、前記フタの開閉動作中に一時的に前記ブレーキ手段にてディスクにブレーキをかける構成とした。
【発明の効果】
【０００７】
本発明は、フタの開閉と連動してブレーキ装置が光ディスクと直接当接することで回転
を停止させるので、急峻にディスクの回転を停止できるうえ、簡便な構造で構成できる。
【発明を実施するための最良の形態】
【０００８】
請求項１記載の発明は、筐体と、前記筐体に開閉自在に設けられたフタと、装着されたディスクを回転させる回転駆動手段と、ディスクから情報を読み出すか情報を記録する少なくとも一方の動作を行う記録再生手段と、ディスクに対して回転を停止させるか回転数を減速させるようにディスクにブレーキをかけるブレーキ手段とを備え、前記フタの開閉動作中に少なくとも前記ブレーキ手段が駆動するディスクのブレーキ方法であって、前記フタの開閉動作中に一時的に前記ブレーキ手段にてディスクにブレーキをかけることを特徴とするディスクのブレーキ方法であり、ディスクの脱着時においては、ブレーキ手段はディスクに対して関係しないようにできるので、操作性が非常に良く、しかもフタの開閉動作中に一時的にブレーキを加える様に構成したので、高速で回転しているディスクの回転を停止或いは減速させることができる。
【０００９】
請求項２記載の発明は、フタが完全に閉まった状態と、前記フタが完全に開いた状態では前記ブレーキ手段はディスクに対してブレーキを加えないことを特徴とする請求項１記載のディスクのブレーキ方法であり、ディスクの脱着の操作性が向上する。
【００１０】
請求項３記載の発明は、ディスクの外周部に接触することで、ディスクの回転を阻害するようにブレーキ手段が動作することを特徴とする請求項１記載のディスクのブレーキ方法とすることで、記録面でないディスクの外周面と接触させる構成なので、ディスクの記録面に傷が入ることを抑制する。
【００１１】
請求項４記載の発明は、フタに作動片を設けるとともに、ブレーキ手段として、前記作動片によって、ディスクに対して近づいたり離れたりする可動片を備えたことを特徴とする請求項１記載のディスクのブレーキ方法であり、フタの動作にリンクしてブレーキを確実にディスクに加えることができる。
【００１２】
請求項５記載の発明は、可動片は、ディスクに対して近づいたり離れたりするようにガイドされ、しかも可動片にはディスクと当接するパッドを備え、前記可動片がディスク側に移動して前記パッドとディスクが接触してディスクにブレーキが加えられることを特徴とする請求項４記載のディスクのブレーキ方法であり、可動片がディスクの中心側に沿ってぶれなく移動可能であり、確実にディスクの外周部に当接させることができ、しかもパッドの材質や積層構造を任意に選択可能であり、ディスクへの損傷などを低減させることができる。
【００１３】
請求項６記載の発明は、可動片は弾性部材により、ディスク側と反対方向に付勢されていることを特徴とする請求項４記載のディスクのブレーキ方法であり、作動片が作用している時以外は、常にディスクと非接触とすることができる。
【００１４】
請求項７記載の発明は、可動片には作動片が挿入される挿入部を設けるとともに、前記挿入部にはリブが設けられ、更に前記作動片の先端部に段部を設け、前記段部と前記リブが接触することで可動片をディスク側に移動させることを特徴とする請求項４記載のディスクのブレーキ方法であり、簡単なカム機構とすることができるので、構成が簡単になりしかも信頼性が向上する。
【００１５】
請求項８記載の発明は、筐体と、前記筐体に回動自在に設けられたフタと、光ディスクを回転駆動させるスピンドルモータと、光ディスクに光を照射することで光ディスクから情報を読み出すか光ディスクに情報を記録する光学ユニットと、前記筐体に設けられ光ディスクの装着領域外に配置されたブレーキ手段と、前記フタに設けられ前記ブレーキ手段
を駆動させ作動片とを備え、前記フタの開閉動作中に前記作動片の作用によって、一時的に前記ブレーキ手段が光ディスクの外周部に当接するように構成されたことを特徴とする光ディスク装置であり、ディスクの脱着時においては、ブレーキ手段はディスクに対して関係しないようにできるので、操作性が非常に良く、しかもフタの開閉動作中に一時的にブレーキを加える様に構成したので、高速で回転しているディスクの回転を停止或いは減速させることができる。
【００１６】
請求項９記載の発明は、ブレーキ手段は、可動片と、前記可動片をスピンドルモータ側と反対側に付勢する弾性手段と、前記作動片が挿入される挿入部と、前記挿入部側に突出したリブとを有しており、前記リブと前記作動片が当接することによって、前記可動片が移動し、フタの開閉の最中にのみ前記可動片が一時的に光ディスクの外周部に当接するように構成されたことを特徴とする請求項８記載の光ディスク装置であり、簡単なカム機構とすることができるので、構成が簡単になりしかも信頼性が向上する。
【００１７】
請求項１０記載の発明は、可動片の先端にパッドを設け、前記パッド部の断面形状を非平坦としたことを特徴とする請求項９記載の光ディスク装置であり、光ディスクとのパッドとの接触面積を大きくでき、ブレーキの効果を増すことができる。
【００１８】
請求項１１記載の発明は、フタに前記フタの開閉方向に対して所定量移動可能に保持されたクランパを設け、前記クランパとスピンドルモータによって光ディスクを挟み込んで保持し、前記フタを若干開く初期状態において前記クランパと前記スピンドルは光ディスクを挟み込んでおり、この前記クランパと前記スピンドルは光ディスクを挟み込んでいる時にブレーキ手段が光ディスクにブレーキを加えていることを特徴とする請求項８記載の光ディスク装置であり、光ディスクを固定した状態でブレーキをかけることができるのでブレーキングの最中に光ディスクが振動することなどを防止できる。
【００１９】
請求項１２記載の発明は、第１の筐体部と、前記第１の筐体部に回動自在に設けられた第２の筐体部と、前記第１の筐体部に設けられた情報の入力手段と、前記第２の筐体部位設けられた表示手段と、前記第１の筐体に設けられた請求項８〜１１いずれか１記載の光ディスク装置とを備えたことを特徴とする電子機器であり、光ディスクの脱着が容易になる。
【００２０】
（実施の形態１）
以下、本発明の実施の形態について、図を用いて説明する。
【００２１】
図１は、本発明の一実施の形態における光ディスク装置を搭載した電子機器の外観図であって、１はコンピュータ、２は光ディスクの交換を行う際に開閉するフタである。コンピュータ１はキーボード１ｃ等の入力手段を搭載した筐体部１ａと、筐体部１ａに回動自在に設けられ、液晶ディスプレー１ｄを搭載した第２の筐体部１ｂを有している。筐体部１ａには、回動自在に設けられたフタ２が設けられており、このフタ２を矢印Ａ方向に開くことによって、図１では図示していない光ディスク装置が露出され、光ディスク等の媒体を装着可能となるように構成されている。
【００２２】
なお、本実施の形態では、所謂、持ち運びが簡単なノートブックパソコンを例にとって説明するが、その他の携帯型電子機器や据え置き型の電子機器などにも本願発明は適応可能である。また、本実施の形態では、入力手段としてキーボード１ｃを用いたが、キーボード１ｃを含め音声入力装置，ペン入力装置などの他の入力手段の少なくとも一つを搭載する構成としても良い。
【００２３】
更に、本実施の形態では、表示装置として液晶ディスプレー１ｄを用いたが、液晶ディ
スプレー１ｄ，有機ＥＬディスクプレー，ＥＬディスプレー，ＬＥＤディスプレー，ＣＲＴ等の表示手段の少なくとも一つを搭載するように構成しても良い。
【００２４】
また、本実施の形態では、筐体部１ａ，１ｂを互いに回動自在に取り付けて、開閉自在の構成としたが、一つの筐体部に上記各手段を搭載しても良いし、３つ以上の筐体部を連結しても良い。
【００２５】
図２は光ディスクの交換を行うためにフタが開いた状態を示す斜視図、図３は図２の状態で光ディスクが装着された状態を示す斜視図であり、３は光ディスクであり、３ａは回転する際に光ディスク３の中心軸を回転軸にあわせるための内径穴、４は光ディスクを支持するとともに回転させるためのスピンドルモータ、４ａは光ディスク３の内径穴３ａを支持してスピンドルモータ４の回転軸と光ディスク３の中心軸を一致させるセンターハブ、５は光学的に光ディスク３から情報を読み出す動作か光ディスク３に情報を記録する動作の少なくとも一方を行う入出力するための光学ユニットで、光学ユニット５には、図示していない半導体レーザーなどで構成された光源や各種光学部材を組み合わせて構成されている。また、図示していないが、光学ユニット５をスピンドルモータ４に近づけたり離したりするフィード機構も搭載している。６は筐体部１ａに設けられフタ１の開閉と連動して光ディスク３の回転を制御するためのブレーキ装置、７は光ディスク３の中心部付近をスピンドルモータ４との間に挟み込んで保持するクランパである。
【００２６】
このように構成された光ディスク装置の動作について図４から図５を用いて詳細に説明する。
【００２７】
図４はブレーキ装置６近傍の断面図である。フタ２にはブレーキ装置６を作動させる作動片２ｓが設けられており、作動片２ｓは突起部２ａと突起部２ａの端部に設けられた段部２ｂを有している。作動片２ｓはフタ２に一体形成されても良く、この場合、部品点数を減らすことができる。また、作動片２ｓを別部材としてフタ２に接着などで取り付ける構成しても良く、ブレーキ装置６を駆動させるのに好適な形状や材料を選択でき、設計の自由度を増すことができる。
【００２８】
また本実施の形態のブレーキ装置６は、可動片６ｄ，リブ６ａ，バネ６ｃ，パッド６ｂ，挿入部６ｅ，後端部６ｇを有しており、可動片６ｄは図示していないガイドなどによって、光ディスク３側に移動したり或いは光ディスク３から離れるように移動可能に保持されている。また、また、可動片６ｄのスピンドルモータ４側の端部にはパッド６ｂが設けられており、このパッド６ｂの構成材料としては、光ディスク３の回転を減少するべく摺動しても、光ディスク３に対して損傷をあまり与えない材料や、光ディスク３との摺動でパッド６ｂ自体が容易に摩耗しない材料などが好適に用いられる。また、パッド６ｂは、ゴム、エラストマー、樹脂、フェルトなど光ディスク３に傷などを付けにくく、かつ摩擦係数の大きい部材より構成される。例えば、パッド６ｂとしては、ウレタンなどの弾性部材の上にフェルトを設け、このフェルトが光ディスク３の外周部と接触する構成としても良い。また、可動片６ｄには、作動片２ｓが挿入される挿入部６ｅが設けられており、この挿入部６ｅは貫通孔あるいは切り欠き状の空洞部で構成されている。また、可動片６ｄには挿入部６ｅの方に向かって突出したリブ６ａが設けられており、挿入部６ｅに作動片が挿入されると、段部２ｂからカム状に押圧される。本実施の形態では、構造が簡単になるように、可動片６ｄに挿入部６ｅである貫通孔を設けると共に、貫通孔の断面積を変化させて、結果的にリブ６ａを一体に可動片６ｄに設ける構成とした。また、可動片６ｄは、光ディスク３の厚み方向であって、しかも光ディスク装着方向に突出した後端部６ｇが設けられている。光ディスク装置には、略Ｌ字型の取付部６ｆが設けられており、取付部６ｆの一部と後端部６ｇが対向するように配置されると共に、この取付部６ｆと後端部６ｇの間にはバネ６ｃが設けられ、このバネ６ｃは可動片６ｄを光ディスク３から引き離す
ような弾性を有するように取り付けられる。
【００２９】
なお、本実施の形態では、バネ６ｃは弦巻バネを用いたが、バネ６ｃとして、板バネ，ゴムなどの弾性体等の他の弾性部材を用いても良い。また、可動片６ｄは樹脂などの軽い材料で構成されることが好ましく、更にはパッド６ｂと可動片６ｄは接着などで取り付けられる。
【００３０】
クランパ７はフタ２に回動自在に装着されており、フタ２の移動と共に略一致して移動する。フタ２が開いている状態では光ディスク３から離れた位置に配される。また、好ましくは、クランパ７には、図示していないが、センターハブ４ａの先端部が入り込む凹部が設けられている。
【００３１】
更にクランパ７は、図４に示すようにフタ２に対してｔ方向に多少移動可能なように（０．１ｍｍ〜数ｍｍ）取り付けられており、図示していないが、クランパ７には永久磁石などの磁界発生手段が設けられており、スピンドルモータ４には、金属板などのヨークが設けられている。すなわち、クランパ７がスピンドルモータ４に近づくと、磁力によって光ディスク３をクランパ７とスピンドルモータ４で挟み込み、確実に光ディスク３をスピンドルモータ４に取り付けることができる。また、クランパ７はフタ２に対して回転可能となるようにも保持されている。
【００３２】
また、段部２ｂは凸状となっており、平坦な天部２ｅと、天部２ｅに対して傾斜した傾斜面２ｃ，２ｄを有している。この時、天部２ｅと傾斜面２ｃ，２ｄの境界部は角が尖っている構成としたが、角が尖らないように面取りやＲ面などを設けても良い。
【００３３】
１００はスピンドルモータ４や光学ユニット５を取り付けるフレームである。
【００３４】
以上の様に構成された光ディスク装置において、以下まず、フタ２が開いている状態から光ディスク３を設置するまでの動作について説明する。
【００３５】
フタ２が完全に開いている状態（状態Ａとする）で、光ディスク３の取り出しおよび装着を行う。光ディスク３を装着した後、操作者がフタ２を閉じる動作を行う（状態Ｂとする）。状態Ｂにおける状態を、図５を用いて説明する。
【００３６】
フタ２が閉じていくと、先ず、クランパ７が磁力によってスピンドルモータ４に引き寄せられ、クランパ７とスピンドルモータ４で光ディスク３を挟み込む。前述の様にフタ２に対してクランパ７はある程度移動可能に取り付けられているので、クランパ７が光ディスク３を挟み込んでも、作動片２ｓは多少可動片６ｄから離れた状態となる。更にフタ２を閉じていくと、図５（ａ）に示す様に、挿入部６ｅに作動片２ｓが挿入されていく。すると、段部２ｂの傾斜面２ｄとリブ６ａが当接する。この時、傾斜面２ｄは天部２ｅに近づくにつれてスピンドルモータ４に近づくように傾斜しているので、段部２ｂが可動片６ｄを光ディスク３側にバネ６ｃの弾性に抗してカムの様に移動させる。更にフタ２を閉じていくと、図５（ｂ）に示すように、更に作動片２ｓは挿入部６ｅに更に挿入されると共に、天部２ｅがリブ６ａと当接するとともに、パッド６ｂを光ディスクの少なくとも外周部に所定の押圧力で当接させる。更にフタ２を閉じていくと、図５（ｃ）に示すように傾斜面２ｃとリブ６ａとが当接するようになると共に、リブ６ａは傾斜面２ｃに当接する。この時、傾斜面２ｃは天部２ｅから離れるに従ってスピンドルモータ４から離れるように傾斜しているので、バネ６ｃの復元力によって、可動片６ｄは光ディスク３から離間する方向に移動する。それとともに当然のことながら、パッド６ｂは光ディスク３の外周部から離間する。更に、本実施の形態では、段部２ｂは挿入部２ｂから外れると共に、突起部２ａが挿入部６ｅに挿入された状態となり、しかもリブ６ａと突起部２ａが接触するよう
に構成され、フタ２は完全に筐体部１ａに対して、閉じられた状態（状態Ｃ）となる。
【００３７】
この状態で、コンピュータ１からの信号等によって、光ディスク装置の駆動指令が送られてくると、スピンドルモータ４が回転駆動して光ディスク３を回転させて、光学ユニット５により、情報の記録か再生の少なくとも一方が行われる。
【００３８】
次にフタ２を開いて光ディスク３を取り出す動作について説明する。
【００３９】
操作者によるフタ開閉ボタンの操作や、コンピュータ１等から指示等により、フタ２は状態Ｃより状態Ａまで移動するが、まず、図５（ｃ）に示す様に光ディスク３の回転がブレーキ装置６によって拘束されていない状態から、フタ２を開いていくと、図６（ａ）に示すに、段部２ｂは再び挿入部６ｅに入り込み、傾斜面２ｃとリブ６ａが当接するようになる。すると、天部２ｅに行くに従って、傾斜面２ｃは近づくように傾斜しているので、段部２ｄは可動片６ｄをバネ６ｃの弾性に抗して光ディスク３側へ移動させる。更にフタ２を開いていくと、天部２ｅがリブ６ａと当接すると共に、可動片６ｄは最大限光ディスク３側に移動し、しかも所定の押圧力でパッド６ｂが光ディスク３の外周部にと右折する。この時、例えば、天部２ｅの長さＬを調整することで、パッド６ｂと光ディスク３の当接時間を調整可能となる。すなわち、Ｌを長くすることで、パッド６ｂと光ディスク３との当接時間を長くでき、Ｌを短くすることで、前記当接時間を短くできる。更に、傾斜部２ｃの傾斜角度θ１を調整することでも、パッド６ｂと光ディスク３の当接タイミングを調整することが可能となる。また、本実施の形態では、天部６ｅとリブ６ａが当接すると同時にパッド６ｂと光ディスク３が当接するように構成したが、リブ６ａと傾斜面２ｃが当接しているときからパッド６ｂと光ディスク３が接触するように構成しても良い。この様に、フタ２を開けている途中で、光ディスク３とパッド６ｂを当接させる構成としたので、フタ２を開ける前に例えば光ディスク３が高速で回転していたとしても、光ディスク３はパッド６ｂとの摺動により回転が停止、ないしは、回転速度が低下するように構成でき、好ましくは、操作者に対して安全な回転速度以下となるように、各部の構成を考慮することが好ましい。次に図６（ｂ）に示すように、更にフタ２が開けられていくと、リブ６ａは傾斜面２ｄと接触するようになる。この時、傾斜面２ｄは天部２ｅから離れるに従ってスピンドルモータ４から遠ざかるように傾斜しているので、バネ６ｃの復元力によって可動片６ｄは光ディスク３から離れるように移動し、パッド６ｂは光ディスク３の外周部と離間する。本実施の形態では、図６（ｂ）の状態までは、また、クランパ７は光ディスク３を確実に保持している。また、傾斜面２ｄの傾斜角度θ２を調整することで、パッド６ｂと光ディスク３との離間タイミングを調整できる。更に本実施の形態では、リブ６ａと傾斜面２ｄが当接すると同時にパッド６ｂと光ディスク３を離間させたが、リブ６ａが傾斜面２ｄを滑っている最中にパッド６ｂと光ディスク３が離間するように構成しても良い。次に、更にフタ２を開けていくと、図６（ｃ）に示すように段部２ｂは確実に挿入部６ｅから離脱すると共に、クランパ７もフタ２とともに、移動して、光ディスク３から離れる。この状態で、光ディスク３を取り除いて他の光ディスクを装着したり、あるいは、光ディスク３を取り除く動作のみを行い、フタ２を再度閉じる。
【００４０】
以上の様に、本実施の形態では、フタ２を開ける動作の最中に一時的に光ディスク３の外周部に光ディスク３の回転を阻止して、光ディスク３の回転速度を減速或いは回転を停止させるようにパッド６ｂを当接させる構成としたので、フタ２を開けた状態では、光ディスク３の回転速度は、使用者に対して安全な回転速度になっているか、或いは停止しているので、光ディスク３の交換や脱着が容易になり、しかもフタを開けた状態では、ブレーキ装置６は光ディスク３と非接触となるように構成できるので、ブレーキ装置６が光ディスク３に当接したまま光ディスク３を取り除く構成に比較して、容易に光ディスク３を取り除くことができる。また、光ディスク３をスピンドルモータ４に装着する際にも、ブレーキ装置６は、フタ２を開けた状態では、光ディスク３と非接触となるように構成され
ているので、光ディスク３を装着する場合に、ブレーキ装置６が邪魔にならず、装着性が飛躍的に向上する。当然のことながら、フタ２を閉じた状態においても、ブレーキ装置６は、光ディスク３と非接触になるので、光ディスク３の回転を阻害することはない。
【００４１】
なお、本実施の形態においては、光ディスク３をスピンドルモータ４に固定するにおいては、クランパ７を用いて磁力により固定する場合において説明したが、図７に示すような、センターハブ４ａに、光ディスク３の装着時に出入りするクランプ爪４ｂ等を用いて光ディスクを固定する機構をもつ固定方法においても、同様の効果があることは明らかである。
【００４２】
また、本実施の形態においては、段部２ｂおよびリブ６ａが台形形状の場合において説明したが、図８に示す段部２ｂ’のように曲面形状でもよく、さらにはそれらの組合せでも、同様な効果が得られることは明白である。すなわち、図４に示す傾斜面２ｃ，２ｄを平坦面とせず曲面とし、リブ６ａも同様に曲面を有する形状としても良い。
【００４３】
以上のように、光ディスク３が高速で回転していた直後でも、フタ２が開く前にクランパ７が光ディスク３を固定した状態で、光ディスク３の回転を急速に減速させることができるので、安全かつ安易に光ディスク３を取り出すことができる。
【００４４】
図９はブレーキ装置６において、パッド６ｄにおける光ディスク３の当接部を凹形状に形成したものである。光ディスク３の端部との接触面積が増大するので、減速性能が向上し、さらに短時間で光ディスク８の回転を停止できる。さらには凹形状で光ディスク８を押さえ込む形となるので、光ディスク７３の端部とパッド６ｄの間の摩擦力と回転力でフラッターなどが発生した場合においても、光ディスク７がパッド６ｄから外れたりする現象を防止し、安全に光ディスク７の回転を減速できる。また、図９においては、曲面状の凹形状としたが、Ｖ字型などの凹部形状としても良く、好ましくは、凹部形状を光ディスク３の外周端部形状と相似形か略相似形とすることが好ましい。
【００４５】
図１０（ａ）はブレーキ装置６において、リブ６ａとパッド６ｂの間に弾性体１０１を配したものである。本実施の形態においては、弾性体１０１は弦巻バネで構成したもので説明するが、弾性を持つ部材であれば板バネやゴム、エラストマー、スポンジ等でもよく、さらにはブレーキ装置６を構成する部材自体の弾性変形を用いるものでもよく、さらには、パッド６ｂ自身の弾性変形を用いるものもでもよい。以上のように構成された光ディスク装置の動作を以下に説明する。
【００４６】
図１０（ａ）の光ディスク３が回転可能な状態から、フタの移動に伴い、図１０（ｂ）に示すように、光ディスク３に対してパッド６ｂが当接し、光ディスク３の回転を減速できる状態になる。ここで、光ディスク３の外形寸法や各構成部品の取付けには必ず誤差が存在するが、この誤差が発生する場合においても弾性体１０１を介して押圧されているため、誤差を弾性体６ｅに伸縮により吸収するので、光ディスク３とパッド６ｂの間の押圧力を適正な範囲でコントロールすることが可能となり、ブレーキ力の不足や押圧力増大によるディスクの変形や破損を防ぐことができる。
【００４７】
なお、本実施の形態においては、媒体として光ディスク３を用いたが、光磁気ディスクや磁気ディスクなどでも良い。効果的な媒体としては、樹脂材料を含むものが特に効果的である。
【００４８】
また、本実施の形態では、フタ２を閉めたときには、光ディスク３が見えないように構成したが、フタは少なくとも光ディスクの一部を覆うようにスリットや切り欠きの様な欠落部を設けても良く、更には、フタ２の一部を透明なガラスやプラスチックで構成し、装
着された光ディスクを外から観測できるようにしても良い。
【００４９】
更に本実施の形態では、段部２ｂをスピンドルモータ４側に突出させ、リブをスピンドル側と反対側に突出させる構成としたが、段部２ｂをスピンドルモータ４と反対側に突出させ、リブをスピンドル側に突出させる構成としても良い。
【００５０】
また、本実施の形態では、ブレーキ装置６を一カ所しか設けなかったが、複数のブレーキ装置６を光ディスク３の装着領域外に設けても良く、その場合には、当然作動片２ｓもブレーキ装置６のかずに応じて増設する。
【００５１】
また、本実施の形態では、一つのブレーキ装置６に一つの段部２ｂを設けたが、直列に複数の段部を設け、フタ２の開閉の際に、一時的に光ディスク３とブレーキ装置６が接触する回数を複数回にすることもできる。
【産業上の利用可能性】
【００５２】
本発明は、フタの開閉と連動してブレーキ装置が光ディスクと直接当接することで回転を停止させるので、急峻にディスクの回転を停止できるうえ、簡便な構造で構成できるので、各種電子機器に適応可能である。
【図面の簡単な説明】
【００５３】
【図１】本発明の一実施の形態における光ディスク装置を搭載した電子機器の外観図
【図２】本発明の一実施の形態における光ディスク装置を搭載した電子機器の外観図
【図３】本発明の一実施の形態における光ディスク装置を搭載した電子機器の外観図
【図４】本発明の一実施の形態における光ディスク装置を示す断面図
【図５】本発明の一実施の形態における光ディスク装置を示す断面図
【図６】本発明の一実施の形態における光ディスク装置を示す断面図
【図７】本発明の一実施の形態における光ディスク装置を示す断面図
【図８】本発明の一実施の形態における光ディスク装置を示す断面図
【図９】本発明の一実施の形態における光ディスク装置を示す断面図
【図１０】本発明の一実施の形態における光ディスク装置を示す断面図
【符号の説明】
【００５４】
１    コンピュータ
２    フタ
２ａ    フタ突起部
２ｂ    段部
２ｂ’    段部
３    光ディスク
４    スピンドルモータ
４ａ    センターハブ
５    光学ユニット
６    ブレーキ装置
６ａ    リブ
６ｂ    パッド
６ｃ    バネ
６ｄ    パッド
６ｗ    弾性部
７    クランパ
【図１】
2005092951.tif 000003
【図２】
2005092951.tif 000004
【図３】
2005092951.tif 000005
【図４】
2005092951.tif 000006
【図５】
2005092951.tif 000007
【図６】
2005092951.tif 000008
【図７】
2005092951.tif 000009
【図８】
2005092951.tif 000010
【図９】
2005092951.tif 000011
【図１０】
2005092951.tif 000012